(57)【要約】      （修正有）【課題】視聴中の番組のみを録画したい場合の操作を簡単にする。【解決手段】記録再生装置のチューナ１１を介してモニタＴＶ８により番組を出力している場合に、視聴中番組録画ボタンが押されると、例えばＥＰＧから視聴番組データを取得する。視聴番組データは、チャネル名、番組名、放送開始時間、放送終了時間等を含む。次いで、ハードディスク１７の記憶残容量をチェックする。この際、記憶残容量が少なすぎる場合には、表示部に警告表示を行う。ユーザは、この表示により、ハードディスク１７の記憶残容量を増加させる（記憶済みデータを削除する）処理を行うこともできる。記憶残容量が多く録画に関する容量の問題がなければ視聴中の番組の録画を開始する。次いで、番組終了時刻になると、この番組に関する情報を記載した再生リストに情報を追加する。例えば、放送時間帯と、録画時間帯に関する情報等である。その後録画を終了する。【選択図】図１
2007325226.tif 000002
【特許請求の範囲】
【請求項１】
放送番組を選局するチューナ部と、放送番組を記録する記録部と、記録した放送番組を再生する記録再生部と、を備えた記録再生装置であって、
視聴中の番組のみを録画するための専用の操作ボタンによる指示を受けた際に、視聴中の番組の記録を開始するとともに、現在視聴中の番組の終了時刻をＥＰＧ番組データから取得し該ＥＰＧ番組データから取得した番組終了時刻に録画を終了する視聴中番組録画処理を行う制御部を有することを特徴とする記録再生装置。
【請求項２】
前記視聴中番組録画処理による録画データか否かを識別可能にする識別フラグを前記録画データに付すことを特徴とする請求項１に記載の記録再生装置。
【請求項３】
請求項１又は２に記載の記録再生装置の制御に用いられるリモコン装置であって、
前記視聴中番組録画処理を前記記録再生装置に行わせるためのトリガーとなる制御信号を出力するための視聴中番組録画ボタンを備えることを特徴とするリモコン装置。
【請求項４】
通信を行う通信部と、放送番組を選局するチューナ部と、放送番組を記録する記録部と、記録した放送番組を再生する記録再生部と、を備えた携帯端末装置であって、
視聴中の番組のみを録画するための専用の操作ボタンによる指示を受けた際に、視聴中の番組の記録を開始するとともに、現在視聴中の番組の終了時刻を前記通信部から取得したＥＰＧ番組データから取得し該ＥＰＧ番組データから取得した番組終了時刻に録画を終了する視聴中番組録画処理を行う制御部を有することを特徴とする携帯端末装置。
【請求項５】
前記視聴中番組録画処理を行わせるためのトリガーとなる制御信号を出力するための視聴中番組録画ボタンを備えることを特徴とする請求項４に記載の携帯端末装置。
【請求項６】
放送番組を選局するチューナ部と、放送番組を記録する記録部と、記録した放送番組を再生する記録再生部と、通信を行う通信部と、操作を行う操作部と、を備えた携帯端末装置であって、
前記操作部に、視聴中の番組のみを録画するための専用の視聴中番組録画ボタンを設け、
該視聴中番組録画ボタンによる指示を受けた際に、視聴中の番組の記録を開始するとともに、前記通信部からＥＰＧ番組データを取得し該ＥＰＧ番組データから取得した番組終了時刻に録画を終了する視聴中番組録画処理を行う制御部を有することを特徴とする携帯端末装置。
【請求項７】
記録再生装置のチューナを介してモニタにより番組を出力している場合に、視聴中番組録画ボタンが押されると、視聴番組の番組終了時刻データを取得し、視聴中の番組の録画を開始するステップと、
番組の録画を前記番組終了時刻に終了するステップと、
を有することを特徴とする番組録画方法。
【請求項８】
録画した番組に関する情報を記載した再生リストに該情報を追加するステップを有することを特徴とする請求項７に記載の番組録画方法。
【請求項９】
コンピュータに請求項７又は８に記載のステップを実行させるためのプログラム。
【発明の詳細な説明】
【技術分野】
【０００１】
本発明は、記録再生装置に関し、特に、視聴中番組の録画技術に関する。
【背景技術】
【０００２】
近年、デジタル放送が一般化され、大容量の記録再生を行うことができる記録再生装置が製造されている。このような記録再生装置において視聴中の番組を録画する技術としては、以下のような手順により行われるものが多い。
【０００３】
１）録画開始ボタンを押す。次いで、録画を終了するための録画停止ボタンを押すと録画が終了する。この場合に、記録媒体の記録容量が無くなると、その旨を表示して自動的に録画が終了する装置もある。
【０００４】
２）録画終了に関するクイックタイマボタンを押すと、クイックボタンにより録画終了時間が設定される。例えば、１０分、２０分、３０分などのボタンを押すとその時間経過後に録画が終了する。
【０００５】
３）一旦、ＥＰＧ番組表を表示させ、ＥＰＧ番組表から現在視聴中の番組を選ぶと、その番組の録画処理が開始される（特許文献１参照）。
【特許文献１】特開２００６−４１６６１号公報
【発明の開示】
【発明が解決しようとする課題】
【０００６】
上記の技術において、視聴中の番組のみを録画したい場合には、番組の終了時刻を決定する必要があるために、１）録画開始ボタンと２）録画停止ボタンとの押圧を含む最低でも２ステップ（操作ボタンを押す回数）が必要であり、操作が煩雑になるという問題があった。特に、ユーザが視聴中に離籍しなくてはならない事情があるケースでは、リモコン操作に多くの時間をかける余裕はない場合が多い。また、２つのボタンを持たせると、リモコン装置の面積もそれだけ多くとられるという問題もある。
本発明は、視聴中の番組のみを録画したい場合の操作を簡単にすることを目的とする。
【課題を解決するための手段】
【０００７】
本発明においては、記録再生装置において、視聴中の番組のみを録画するための専用の操作ボタンを設けた（例えば、以下では、視聴中番組録画ボタンと称する）。
【０００８】
上記視聴中番組ボタンが押されると、現在ＴＶなどで視聴中の番組の終了時刻をＥＰＧ番組データより取得し、ＥＰＧ番組データから取得した番組終了時刻に録画を終了する。ＥＰＧ番組予約で録画された番組と視聴中の番組を録画した番組とを再生リストにおいて識別可能に表示させることもできる。この発明を番組を視聴可能な携帯端末装置に応用することも可能である。
【発明の効果】
【０００９】
本発明によれば、録画終了時刻を設定する必要がないため、視聴中の番組を簡単な操作で録画することができ、ユーザの使い勝手を良くすることができる。録画した番組の再生リスト（一覧）において、番組録画が番組開始から終了時刻まで完全に録画されている番組と番組の途中から（或いは途中まで）しか録画されていない不完全な録画済み番組とを再生リストで識別するようにしたので、再生或いは編集が素早く行うことができるという利点がある。
【発明を実施するための最良の形態】
【００１０】
以下、本発明の実施の形態による記録再生装置について図面を参照しながら説明を行う。まず、本発明の第１の実施の形態による記録再生装置について説明する。図１は、本実施の形態による記録再生装置の一構成例を示す機能ブロック図である。図１に示すように、本実施の形態による記録再生システムＡは、記録再生装置１と、モニタテレビ（ＴＶ）８と、リモコン装置６と、を有している。
【００１１】
記録再生装置１は、受信処理部３と、記憶部５と、出力処理部７と、を有している。受信処理部３は、例えば、アンテナ９から受信された放送番組を選局するＴＶチューナ１１と、Ａ／Ｄ変換器１２と、ＭＰＥＧ−２エンコーダ１３と、ストリームアナライザ１４と、ストリームを一時的に記憶するバッファメモリ１５と、を有している。記憶部５は、例えば、ハードディスク記録再生器１６と、ハードディスク装置１７と、書き込み・読み出し制御器１８と、を有している。
【００１２】
出力処理部７は、バッファメモリ２４と、ＭＰＥＧ−２デコーダ２３と、ＯＳＤ部２２と、Ｄ／Ａ変換器２１と、一時記憶メモリと接続されるマイコン２５と、リモコン６とのインターフェイスを形成するリモコンＩ／Ｆ２６と、を有している。
【００１３】
Ｄ／Ａ変換器２１からの出力は、モニタＴＶ（表示モニタ）８に出力され、リモコン６の操作信号はリモコンＩ／Ｆ２６を介して記録再生装置１の制御に関する指示を送る。ここで、本実施の形態による記録再生装置１は、視聴中番組録画ボタン２５ａが、マイコン２５と関連付けされて設けられている点に特徴がある。
【００１４】
図２は、本実施の形態によるリモコン装置の正面図であり、図３は、リモコン装置の一構成例を示す機能ブロック図である。図２及び図３に示すように、リモコン装置６は、赤外線発光部１２１(１２１ａ・１２１ｂ：双方向通信可能な構成の場合)と、任意に設けられる表示部１２２と、決定キー１２３及び方向キー１２４〜１２７を備えた操作部Ｘと、ＥＰＧ表示操作ボタン１３１と、視聴中番組録画ボタン１３３と、リモコン全体を制御するリモコン制御部１３７と、表示制御を行う表示制御部１３５と、を有している。尚、視聴中番組録画ボタンは、記録再生装置本体側（２５ａ）のみ又はリモコン装置（１３３）と記録再生装置本体側（２５ａ）との両方に設けても良い。この場合には、いずれかが押された場合に、視聴中番組の録画が行われる。
【００１５】
以下において、上記の如く構成されたシステムにおける処理について説明を行う。図４は、本実施の形態による記録再生装置における処理の流れを示すフローチャート図である。図４に示すように、まず、ステップＳ１において、記録再生装置のチューナ１１を介してモニタＴＶ８により番組を出力している場合に、視聴中番組録画ボタン１３３が押されると（ステップＳ２）、ステップＳ３において、例えばＥＰＧから視聴番組データを取得する。或いは、既に取得済みのＥＰＧデータを一時記憶メモリ２７から、視聴中のチャンネルの番組データを読み出してもよい。視聴番組データは、チャネル名、番組名、放送開始時間、放送終了時間等を含む。次いで、ステップＳ４において、ハードディスク１７の記憶残容量をチェックする。この際、記憶残容量が少なすぎる場合には（不可）ステップＳ９に進み、例えば表示部に警告表示を行った後にステップＳ２に戻る。ユーザは、この表示により、ハードディスク１７の記憶残容量を増加させる（記憶済みデータを削除する）処理を行うこともできる。
【００１６】
ステップＳ４において、記憶残容量が多く録画に関する容量の問題がなければ（可）、ステップＳ５に進み、視聴中の番組の録画を開始する。次いで、ステップＳ３において取得した番組終了時刻になると（ＹＥＳ）、この番組に関する情報を記載した後述する再生リストに情報を追加する。例えば、放送時間帯と、録画時間帯に関する情報等である。ステップＳ８において録画を終了する。以上の処理により、視聴中番組録画ボタン１３３を押す処理のみで現在視聴中の番組を録画することができ、処理を簡単にすることができる。これにより、例えば現在視聴中で、その後に席を立たなければならないような場合に、視聴中番組録画ボタン１３３を押す操作のみでその後の番組を録画しておくことができるため、見逃した番組の部分を後から視聴することができるという利点がある。
【００１７】
尚、この際に、ある番組が開始した時点で視聴中の番組の記録を開始しておき、視聴中番組録画ボタン１３３が押されるまでに、例えばある時間（１０分間など短い時間）だけは記録を進めておき、その時間が経過するまでに視聴中番組録画ボタン１３３が押されると、番組終了まで該当する番組を記録するようにしても良い。このようにすれば、視聴中番組の全てを開始時点から再度見直すことも可能である。
【００１８】
図５から図７までは、上記再生リストの構成例を示す図である。図５及び図６のそれぞれに示す再生リストは、予約録画番組（図５）と番組途中からの録画番組（図６）とを、別々のリストに表示させた例を示す図である。図５に示す再生リストは、予約録画番組の再生リストであり、図に示すように、録画日時と、チャネルＣＨと、タイトルと、ジャンル及び出演者などのその他の情報であってＥＰＧから得られる情報と、が録画日時を追って表示されている。一方、図６に示すように、番組途中から録画した番組リストは、録画日時の時間帯は、番組の開始から終了までではなく、実際に録画が行われている時間帯である。もちろん、実際に録画が行われている時間帯と、番組の開始から終了までの時間帯の両方を表示しても良い。
【００１９】
このように、番組途中から録画した番組リストを作成しておくことで、視聴者が例えば所用により途中で視聴を中断せざるを得なかった番組を、中断時刻から終了時刻まで録画しておき、後から番組リストを参照して録画済み番組を視聴することができるため、簡単な操作（１つのボタンを押すだけ）を行うだけで、見たかった番組を最終的には全て見ることができるという利点がある。
【００２０】
尚、バッファメモリを用いて、例えば常に２分程度の時間だけ最新の視聴番組を記憶させておき、視聴中番組録画ボタン１３３が押された場合に、その後の番組を終了まで記憶し、２分程度前からの番組を見ることで、所用がある場合のあわただしい中で十分には見ることができなかった部分の内容も再度見ることができるようにすることも可能である。
【００２１】
また、ＥＰＧから番組を選択して視聴している最中に、視聴中番組録画ボタン１３３を押した場合には、記録再生装置の電源を入れた時点でＥＰＧ情報をバッファしておけば、上記と同様の処理を行うことができる。
【００２２】
次に、予約録画番組と、番組途中からの録画番組とを同一のリストに表示させた例について図７を参照しながら説明を行う。図７に示すリストは、基本的には図５と図６を合体させて表示させたものであるが、番組途中からの録画番組を識別可能なマーク（図では三角印で示される。）を付すとともに、録画日時の欄に番組のうちどれだけの部分（図では時間で示される。）が録画に対応する部分であるかを示す例えば帯グラフを表示させることもできる。
【００２３】
このようにすれば、視聴済みの部分と録画させた部分とがどの程度の比率になっているか、あとどの程度の時間録画の再生を行えば全内容を見ることができるかなどの情報をユーザに一目で知らせることができる。例えば、録画した部分が非常に少なければ、後はＣＭ部分なので見る必要がないなどの情報を図７からユーザに知らせることも可能である。
【００２４】
次に、本発明の他の実施の形態による記録再生技術について図面を参照しながら説明を行う。図８は、テレビチューナを有する携帯電話機の一構成例を示す図である。最近では、携帯電話機などの携帯端末やカーナビゲーション装置でも、ハードディスクとテレビチューナとを具備するものが多くなってきている。図８においては、情報携帯端末２０１は、送受信用のアンテナ２１１と、携帯電話無線部２１２と、テレビアンテナ２８０と、テレビチューナ２２１と、受話部２１４と、マイク２１６と、入力キー２１６と、記憶部２１７と、表示部２１９と、スピーカ２１８と、全体を逝去する制御部２１３と、を有している。さらに、本実施の形態においては、入力キー２１６に、視聴番組録画ボタン２１６ａを新たに設けている。この携帯電話機２０１においても、制御部２１３は、テレビ放送を視聴中に中断せざるを得なくなった場合に、ユーザは視聴番組録画ボタン２１６ａを押す操作のみで、その後の番組を記憶部２１７に記憶させておく制御を行うことができる。尚、携帯電話機では、送受信アンテナを介してＥＰＧ情報を取得することが一般的であるため、視聴番組録画ボタン２１６ａが押されると同時に、制御部２１３は送受信アンテナ２１１を介して電子番組表情報を取得し、その情報に基づいて視聴中に番組の終了時間を記憶し、その時間まで視聴中だった番組の内容を記憶部２１７に記憶することができる。
【００２５】
以上に説明したように、テレビチューナを有する携帯電話機においても、記録再生装置と同様に、視聴番組録画ボタンにより、視聴中番組の続きをその番組の最後まで記憶しておくことができるという利点がある。
【産業上の利用可能性】
【００２６】
本発明は、チューナを有する記録再生装置に利用可能である。
【図面の簡単な説明】
【００２７】
【図１】本発明の一実施の形態による記録再生装置の一構成例を示す機能ブロック図である。
【図２】本実施の形態によるリモコン装置の正面図である。
【図３】リモコン装置の一構成例を示す機能ブロック図である。
【図４】本実施の形態による記録再生装置における処理の流れを示すフローチャート図である。
【図５】予約録画番組の再生リストの一例を示す図である。
【図６】番組途中からの録画番組の再生リストを示す図である。
【図７】予約録画番組と、番組途中からの録画番組とを同一のリストに表示させた例を示す図である。
【図８】テレビチューナを有する携帯電話機の一構成例を示す図である。
【符号の説明】
【００２８】
Ａ…記録再生システム、１…記録再生装置、３…受信処理部、６…リモコン装置、７…出力処理部、８…モニタテレビ（ＴＶ）、９…アンテナ、１５…バッファメモリ、２５…マイコン、２５ａ…視聴中番組録画ボタン、２７…リモコンＩ／Ｆ、２７…視聴中番組録画制御部、１３３…視聴中番組録画ボタン。
【図１】
2007325226.tif 000003
【図２】
2007325226.tif 000004
【図３】
2007325226.tif 000005
【図４】
2007325226.tif 000006
【図５】
2007325226.tif 000007
【図６】
2007325226.tif 000008
【図７】
2007325226.tif 000009
【図８】
2007325226.tif 000010